(57)【要約】本発明は分散型基地局のネットワーキング方法を開示し、該方法は、リモート無線ユニット（ＲＲＵ）とベースバンド処理ユニット（ＢＢＵ）に対しそれぞれ少なくとも一つのイーサネットインタフェースを追加し、かつ前記ＲＲＵと前記ＢＢＵにイーサネットネットワークのインターネットプロトコル（ＩＰ）アドレスを設定し、前記ＲＲＵと前記ＢＢＵはいずれも各自の少なくとも一つのイーサネットインタフェースを介してイーサネットネットワークに接続され、前記ＢＢＵと前記ＲＲＵとの間は各自の設定されたＩＰアドレス及び追加されたイーサネットインタフェースに基づいてベースバンド信号を伝送することを含む。同時に、本発明はさらに分散型基地局のネットワーキング装置及びコンピュータ可読記憶媒体を開示する。【選択図】図１
2016535957.tif 000002
【特許請求の範囲】
【請求項１】
分散型基地局のネットワーキング方法であって、
リモート無線ユニット（ＲＲＵ）とベースバンド処理ユニット（ＢＢＵ）に対しそれぞれ少なくとも一つのイーサネットインタフェースを追加し、かつ前記ＲＲＵと前記ＢＢＵにイーサネットネットワークのインターネットプロトコル（ＩＰ）アドレスを設定し、前記ＲＲＵと前記ＢＢＵはいずれも各自の少なくとも一つのイーサネットインタフェースを介してイーサネットネットワークに接続され、
前記方法はさらに、
前記ＢＢＵと前記ＲＲＵとの間は各自の設定されたＩＰアドレス及び追加されたイーサネットインタフェースに基づいてベースバンド信号を伝送することを含む、分散型基地局のネットワーキング方法。
【請求項２】
前記方法はさらに、
一つのＢＢＵを選択してＢＢＵとコアネットワークとの通信の参照元とすること、
参照元とするＢＢＵを参照として、他のＢＢＵは前記参照元とするＢＢＵを介して前記コアネットワークと通信すること、を含むことを特徴とする
請求項１に記載の分散型基地局のネットワーキング方法。
【請求項３】
前記方法はさらに、
前記ＢＢＵと前記ＲＲＵとの間にメッシュネットワーキングモードでネットワーキングするときに、ＲＲＵと前記イーサネットネットワークに接続されたいずれか一つのＢＢＵとの間にベースバンド信号の伝送を行うように構成され、及び／又は、ＢＢＵと前記イーサネットネットワークに接続されたいずれか一つのＲＲＵとの間にベースバンド信号の伝送を行うように構成されること、
前記ＢＢＵと前記ＲＲＵとの間にポイントツーポイントネットワーキングモードでネットワーキングするときに、選択された一つのＲＲＵと選択された一つのＢＢＵとの間にベースバンド信号の伝送を行うように構成されること、
前記ＢＢＵと前記ＲＲＵとの間にスターネットワーキングモードでネットワーキングするときに、選択された一つのＢＢＵと選択された少なくとも二つのＲＲＵとの間にベースバンド信号の伝送を行うように構成されること、
前記ＢＢＵと前記ＲＲＵとの間にチェーンネットワーキングモードでネットワーキングするときに、少なくとも二つのＲＲＵと選択された一つのＢＢＵとの間にチェーン直列接続のベースバンド信号の伝送を行うように構成されること、
前記ＢＢＵと前記ＲＲＵとの間にリングネットワーキングモードでネットワーキングするときに、少なくとも二つのＲＲＵと選択された一つのＢＢＵとの間にリング直列接続のベースバンド信号の伝送を行うように構成され、かつリング直列接続の少なくとも二つのＲＲＵにおける前記選択された一つのＢＢＵからホップ数最多の距離にある一つのＲＲＵ、前記選択された一つのＢＢＵからホップ数最小の距離にある一つのＢＢＵのそれぞれと前記選択された一つのＢＢＵとの間にベースバンド信号の伝送を行うように構成されること、を含むことを特徴とする
請求項１に記載の分散型基地局のネットワーキング方法。
【請求項４】
前記ＢＢＵと前記ＲＲＵとの間に各自の設定されたＩＰアドレス及び追加されたイーサネットインタフェースに基づいてベースバンド信号を伝送することは、
ダウンリンクにおいて、前記ＢＢＵはコアネットワークからの信号を受信し、前記信号に対しベースバンド処理を行い、イーサネットインタフェースを介して処理後のベースバンド信号を指定ＩＰアドレスを有する前記ＲＲＵに伝送し、前記ＲＲＵは自身のイーサネットインタフェースを介して前記ベースバンド信号を受信し、かつ受信した前記ベースバンド信号に対し整形フィルタリング、ピーククリッピングデジタルプリディストーションの処理を行った後に中間周波数に変換し、続いて中間周波数から無線周波数に変換し、かつパワー増幅後の無線周波数信号をアンテナに伝送すること、
アップリンクにおいて、前記ＲＲＵは端末からの信号を受信し、周波数選択増幅処理後に中間周波数に変換し、続いて中間周波数からベースバンドに変換し、かつ前記イーサネットインタフェースを介して、ベースバンド信号を指定ＩＰアドレスを有するＢＢＵに伝送し、前記ＢＢＵは自身のイーサネットインタフェースを介してベースバンド信号を受信し、受信したベースバンド信号に対しベースバンド処理を行った後に、コアネットワークに伝送すること、を含むことを特徴とする
請求項３に記載の分散型基地局のネットワーキング方法。
【請求項５】
前記方法は、
前記参照元とするＢＢＵと前記他のＢＢＵとの間にメッシュモードでカスケード接続するときに、前記参照元とするＢＢＵと前記イーサネットネットワークに接続されたいずれか一つの前記他のＢＢＵとの間にカスケード接続するように構成され、前記いずれか一つの前記他のＢＢＵは前記参照元とするＢＢＵを介して前記コアネットワークと通信するように構成されること、
前記参照元とするＢＢＵと前記他のＢＢＵとの間にポイントツーポイントモードでカスケード接続するときに、前記参照元とするＢＢＵと選択された一つの前記他のＢＢＵとの間にカスケード接続するように構成され、前記選択された一つの前記他のＢＢＵは前記参照元とするＢＢＵを介して前記コアネットワークと通信するように構成されること、
前記参照元とするＢＢＵと前記他のＢＢＵとの間にスターモードでカスケード接続するときに、前記参照元とするＢＢＵと選択された少なくとも二つの前記他のＢＢＵとの間にカスケード接続するように構成され、前記選択された少なくとも二つの前記他のＢＢＵは前記参照元とするＢＢＵを介して前記コアネットワークと通信するように構成されること、
前記参照元とするＢＢＵと前記他のＢＢＵとの間にチェーンモードでカスケード接続するときに、少なくとも二つの前記他のＢＢＵと前記参照元とするＢＢＵとの間にチェーン直列接続のカスケード接続するように構成され、前記少なくとも二つの前記他のＢＢＵは前記参照元とするＢＢＵを介してコアネットワークと通信するように構成されること、
前記参照元とするＢＢＵと前記他のＢＢＵとの間にリングモードでカスケード接続するときに、少なくとも二つの前記他のＢＢＵと前記参照元とするＢＢＵとの間にリング直列接続を行うように構成され、かつリング直列接続の少なくとも二つの前記他のＢＢＵにおける前記参照元とするＢＢＵからホップ数最多の距離にある一つのＢＢＵ、前記参照元とするＢＢＵからホップ数最小の距離にある一つのＢＢＵのそれぞれが参照元とするＢＢＵを介してコアネットワークと通信するように構成されること、を含むことを特徴とする
請求項２に記載の分散型基地局のネットワーキング方法。
【請求項６】
分散型基地局のネットワーキング装置であって、
前記分散型基地局は、リモート無線ユニット（ＲＲＵ）とベースバンド処理ユニット（ＢＢＵ）を含み、前記装置は、追加ユニット、設定ユニット、接続ユニット及び伝送ユニットを含み、
前記追加ユニットは、前記ＲＲＵと前記ＢＢＵにそれぞれ少なくとも一つのイーサネットインタフェースを追加するように構成され、
前記設定ユニットは、前記ＲＲＵと前記ＢＢＵにイーサネットネットワークのインターネットプロトコル（ＩＰ）アドレスを設定するように構成され、
前記接続ユニットは、前記ＲＲＵと前記ＢＢＵがいずれも各自の少なくとも一つのイーサネットインタフェースを介してイーサネットネットワークに接続されるように構成され、
前記伝送ユニットは、前記ＲＲＵと前記ＢＢＵとの間に各自の設定されたＩＰアドレス及び追加されたイーサネットインタフェースに基づいてベースバンド信号を伝送するように構成される、分散型基地局のネットワーキング装置。
【請求項７】
前記装置はさらに、選択ユニット及び通信ユニットを含み、
前記選択ユニットは、一つのＢＢＵを選択してＢＢＵとコアネットワークとの間の通信の参照元とするように構成され、
前記通信ユニットは、参照元とするＢＢＵを参照として、他のＢＢＵを前記参照元とするＢＢＵを介して前記コアネットワークと通信するように構成されることを特徴とする
請求項６に記載の分散型基地局のネットワーキング装置。
【請求項８】
前記設定ユニットはさらに、
前記ＢＢＵと前記ＲＲＵとの間にメッシュネットワーキングモードでネットワーキングするときに、前記設定ユニットはＲＲＵと前記イーサネットネットワークに接続されたいずれか一つのＢＢＵとの間にベースバンド信号の伝送を行うように構成され、及び／又は、前記設定ユニットはＢＢＵと前記イーサネットネットワークに接続されたいずれか一つのＲＲＵとの間にベースバンド信号の伝送を行うように構成され、
前記ＢＢＵと前記ＲＲＵとの間にポイントツーポイントネットワーキングモードでネットワーキングするときに、前記設定ユニットは選択された一つのＲＲＵと選択された一つのＢＢＵとの間にベースバンド信号の伝送を行うように構成され、
前記ＢＢＵと前記ＲＲＵとの間にスターネットワーキングモードでネットワーキングするときに、前記設定ユニットは選択された一つのＢＢＵと選択された少なくとも二つのＲＲＵとの間にベースバンド信号の伝送を行うように構成され、
前記ＢＢＵと前記ＲＲＵとの間にチェーンネットワーキングモードでネットワーキングするときに、前記設定ユニットは少なくとも二つのＲＲＵと選択された一つのＢＢＵとの間にチェーン直列接続のベースバンド信号の伝送を行うように構成され、
前記ＢＢＵと前記ＲＲＵとの間にリングネットワーキングモードでネットワーキングするときに、前記設定ユニットは少なくとも二つのＲＲＵと選択された一つのＢＢＵとの間にリング直列接続のベースバンド信号の伝送を行うように構成され、かつリング直列接続の少なくとも二つのＲＲＵにおける前記選択された一つのＢＢＵからホップ数最多の距離にある一つのＲＲＵ、前記選択された一つのＢＢＵからホップ数最小の距離にある一つのＢＢＵのそれぞれと前記選択された一つのＢＢＵとの間にベースバンド信号の伝送を行うように構成されることを特徴とする
請求項６或いは７に記載の分散型基地局のネットワーキング装置。
【請求項９】
前記設定ユニットはさらに、
前記参照元とするＢＢＵと前記他のＢＢＵとの間にメッシュモードでカスケード接続するときに、前記設定ユニットは参照元とするＢＢＵと前記イーサネットネットワークに接続されたいずれか一つの前記他のＢＢＵとの間にカスケード接続するように構成され、前記通信ユニットは前記いずれか一つの前記他のＢＢＵが前記参照元とするＢＢＵを介して前記コアネットワークと通信するように構成され、
前記参照元とするＢＢＵと前記他のＢＢＵとの間にポイントツーポイントモードでカスケード接続するときに、前記設定ユニットは前記参照元とするＢＢＵと選択された一つの前記他のＢＢＵとの間にカスケード接続するように構成され、前記通信ユニットは前記選択された一つの前記他のＢＢＵが前記参照元とするＢＢＵを介して前記コアネットワークと通信するように構成され、
前記参照元とするＢＢＵと前記他のＢＢＵとの間にスターモードでカスケード接続するときに、前記設定ユニットは前記参照元とするＢＢＵと選択された少なくとも二つの前記他のＢＢＵとの間にクロックカスケード接続するように構成され、前記通信ユニットは前記選択された少なくとも二つの前記他のＢＢＵが前記参照元とするＢＢＵを介して前記コアネットワークと通信するように構成され、
前記参照元とするＢＢＵと前記他のＢＢＵとの間にチェーンモードでカスケード接続するときに、前記設定ユニットは少なくとも二つの前記他のＢＢＵと前記参照元とするＢＢＵとの間にチェーン直列接続のカスケード接続するように構成され、前記通信ユニットは前記少なくとも二つの前記他のＢＢＵが前記参照元とするＢＢＵを介してコアネットワークと通信するように構成され、
前記参照元とするＢＢＵと前記他のＢＢＵとの間にリングモードでカスケード接続するときに、前記設定ユニットは少なくとも二つの前記他のＢＢＵと前記参照元とするＢＢＵとの間にリング直列接続を行うように構成され、前記通信ユニットは前記リング直列接続の少なくとも二つの前記他のＢＢＵにおける前記参照元とするＢＢＵからホップ数最多の距離にある一つのＢＢＵ、前記参照元とするＢＢＵからホップ数最小の距離にある一つのＢＢＵのそれぞれが参照元とするＢＢＵを介してコアネットワークと通信するように構成されることを特徴とする
請求項７に記載の分散型基地局のネットワーキング装置。
【請求項１０】
コンピュータ可読記憶媒体であって、
請求項１〜５のいずれか一項に記載の分散型基地局のネットワーキング方法を実行するための一セットの命令を含んでいることを特徴とする、コンピュータ可読記憶媒体。
【発明の詳細な説明】
【技術分野】
【０００１】
本発明はネットワーキング技術に関し、具体的には分散型基地局のネットワーキング方法及び装置、並びにコンピュータ可読記憶媒体に関する。
【背景技術】
【０００２】
分散型基地局は、従来のレピータをベースバンドユニット（ＢＢＵ：Ｂａｓｅ  Ｂａｎｄ  Ｕｎｉｔ）及びリモート無線ユニット（ＲＲＵ：Ｒａｄｉｏ  Ｒｅｍｏｔｅ  Ｕｎｉｔ）に分割する。ここで、ＢＢＵは無線信号のベースバンド処理の部分を完成することを担い、ＲＲＵはベースバンド信号の周波数変調と信号増幅を完成することを担い、ＢＢＵとＲＲＵは光ファイバを用いて直接接続し、かつ公共無線インタフェース（ＣＰＲＩ：Ｃｏｍｍｏｎ  Ｐｕｂｌｉｃ  Ｒａｄｉｏ  Ｉｎｔｅｒｆａｃｅ）光インタフェースを介して通信する。
【０００３】
ＣＰＲＩ光リンクネットワークにおいて、一つのＢＢＵは少なくとも一つのＲＲＵに対応し、各ＲＲＵはいずれも唯一のＢＢＵと直接接続される。ＲＲＵのアップリンクにおいて、ＲＲＵはＣＰＲＩ光インタフェースを介して該ＲＲＵに対応するＢＢＵからのベースバンド信号を受信し、かつ該ベースバンド信号に対し整形フィルタリング、ピーククリッピング、デジタルプリディストーションなどの処理を行った後に中間周波数に変換し、続いて無線周波数に変換し、その後伝送する。ＲＲＵのダウンリンクにおいて、ＲＲＵは受信した端末信号に対し周波数選択増幅などの一連の処理を行った後に、ＣＰＲＩ光インタフェースを介して該ＲＲＵに対応する唯一のＢＢＵに伝送する。ここからわかるように、各ＲＲＵはいずれもベースバンド信号を、該ＲＲＵがポイントツーポイント接続ときに対応するＢＢＵに伝送しなければならい。ポイントツーポイントのネットワーキングモードにおいて、ＲＲＵとそれに対応するＢＢＵとの間の架設距離が長くなく、約２００メートル〜４０キロメートルの間にあるが、多くの光ファイバコスト、労力コストを消費する。ここからわかるように、ＢＢＵとＲＲＵにカスケード接続ネットワーキング、リングネットワーキング、チェーンネットワーキングを行うときに必要な光ファイバはより長くなり、材料コスト、施工コストとメンテナンスコストなどがより高くなる可能性がある。
【発明の概要】
【発明が解決しようとする課題】
【０００４】
これを鑑みて、従来に存在した問題を解決するために、本発明の実施例は、ネットワーキングの柔軟性を高め、ベースバンドリソースの処理効率及び伝送速度を高めることができ、同時にコストを節約することができる、分散型基地局のネットワーキング方法及び装置、並びにコンピュータ可読記憶媒体を提供することを目的とする。
【課題を解決するための手段】
【０００５】
上記目的を達成するために、本発明の実施例の技術的解決手段はこのように実現される。
【０００６】
本発明の実施例は分散型基地局のネットワーキング方法を提供し、該方法は、リモート無線ユニット（ＲＲＵ）とベースバンド処理ユニット（ＢＢＵ）に対しそれぞれ少なくとも一つのイーサネットインタフェースを追加し、かつ前記ＲＲＵと前記ＢＢＵにイーサネットネットワークのインターネットプロトコル（ＩＰ）アドレスを設定し、前記ＲＲＵと前記ＢＢＵはいずれも各自の少なくとも一つのイーサネットインタフェースを介してイーサネットネットワークに接続され、
前記方法はさらに、
前記ＢＢＵと前記ＲＲＵとの間は各自の設定されたＩＰアドレス及び追加されたイーサネットインタフェースに基づいてベースバンド信号を伝送することを含む。
【０００７】
上記解決手段において、前記方法はさらに、
一つのＢＢＵを選択してＢＢＵとコアネットワークとの通信の参照元とすること、
参照元とするＢＢＵを参照として、他のＢＢＵは前記参照元とするＢＢＵを介して前記コアネットワークと通信すること、を含む。
【０００８】
上記解決手段において、前記方法は、
前記ＢＢＵと前記ＲＲＵとの間にメッシュネットワーキングモードでネットワーキングするときに、ＲＲＵと前記イーサネットネットワークに接続されたいずれか一つのＢＢＵとの間にベースバンド信号の伝送を行うように構成され、及び／又は、ＢＢＵと前記イーサネットネットワークに接続されたいずれか一つのＲＲＵとの間にベースバンド信号の伝送を行うように構成されること、
前記ＢＢＵと前記ＲＲＵとの間にポイントツーポイントネットワーキングモードでネットワーキングするときに、選択された一つのＲＲＵと選択された一つのＢＢＵとの間にベースバンド信号の伝送を行うように構成されること、
前記ＢＢＵと前記ＲＲＵとの間にスターネットワーキングモードでネットワーキングするときに、選択された一つのＢＢＵと選択された少なくとも二つのＲＲＵとの間にベースバンド信号の伝送を行うように構成されること、
前記ＢＢＵと前記ＲＲＵとの間にチェーンネットワーキングモードでネットワーキングするときに、少なくとも二つのＲＲＵと選択された一つのＢＢＵとの間にチェーン直列接続のベースバンド信号の伝送を行うように構成されること、
前記ＢＢＵと前記ＲＲＵとの間にリングネットワーキングモードでネットワーキングするときに、少なくとも二つのＲＲＵと選択された一つのＢＢＵとの間にリング直列接続のベースバンド信号の伝送を行うように構成され、かつリング直列接続の少なくとも二つのＲＲＵにおける前記選択された一つのＢＢＵからホップ数最多の距離にある一つのＲＲＵ、前記選択された一つのＢＢＵからホップ数最小の距離にある一つのＲＲＵのそれぞれと前記選択された一つのＢＢＵとの間にベースバンド信号の伝送を行うように構成されること、を含む。
【０００９】
上記解決手段において、前記ＢＢＵと前記ＲＲＵとの間に各自の設定されたＩＰアドレス及び追加されたイーサネットインタフェースに基づいてベースバンド信号を伝送することは、
ダウンリンクにおいて、前記ＢＢＵはコアネットワークからの信号を受信し、前記信号に対しベースバンド処理を行い、イーサネットインタフェースを介して処理後のベースバンド信号を指定ＩＰアドレスを有する前記ＲＲＵに伝送し、前記ＲＲＵは自身のイーサネットインタフェースを介して前記ベースバンド信号を受信し、かつ受信した前記ベースバンド信号に対し整形フィルタリング、ピーククリッピングデジタルプリディストーションの処理を行った後に中間周波数に変換し、続いて中間周波数から無線周波数に変換し、かつパワー増幅後の無線周波数信号をアンテナに伝送すること、
アップリンクにおいて、前記ＲＲＵは端末からの信号を受信し、周波数選択増幅処理後に中間周波数に変換し、続いて中間周波数からベースバンドに変換し、かつ前記イーサネットインタフェースを介して、ベースバンド信号を指定ＩＰアドレスを有するＢＢＵに伝送し、前記ＢＢＵは自身のイーサネットインタフェースを介してベースバンド信号を受信し、受信したベースバンド信号に対しベースバンド処理を行った後に、コアネットワークに伝送すること、を含む。
【００１０】
上記解決手段において、前記方法は、
前記参照元とするＢＢＵと前記他のＢＢＵとの間にメッシュモードでカスケード接続するときに、前記参照元とするＢＢＵと前記イーサネットネットワークに接続されたいずれか一つの前記他のＢＢＵとの間にカスケード接続するように構成され、前記いずれか一つの前記他のＢＢＵは前記参照元とするＢＢＵを介して前記コアネットワークと通信するように構成されること、
前記参照元とするＢＢＵと前記他のＢＢＵとの間にポイントツーポイントモードでカスケード接続するときに、前記参照元とするＢＢＵと選択された一つの前記他のＢＢＵとカスケード接続するように構成され、前記選択された一つの前記他のＢＢＵは前記参照元とするＢＢＵを介して前記コアネットワークと通信するように構成されること、
前記参照元とするＢＢＵと前記他のＢＢＵとの間にスターモードでカスケード接続するときに、前記参照元とするＢＢＵと選択された少なくとも二つの前記他のＢＢＵとの間にカスケード接続するように構成され、前記選択された少なくとも二つの前記他のＢＢＵは前記参照元とするＢＢＵを介して前記コアネットワークと通信するように構成されること、
前記参照元とするＢＢＵと前記他のＢＢＵとの間にチェーンモードでカスケード接続するときに、少なくとも二つの前記他のＢＢＵと前記参照元とするＢＢＵとの間にチェーン直列接続のカスケード接続するように構成され、前記少なくとも二つの前記他のＢＢＵは前記参照元とするＢＢＵを介してコアネットワークと通信するように構成されること、
前記参照元とするＢＢＵと前記他のＢＢＵとの間にリングモードでカスケード接続するときに、少なくとも二つの前記他のＢＢＵと前記参照元とするＢＢＵとの間にリング直列接続を行うように構成され、かつリング直列接続の少なくとも二つの前記他のＢＢＵにおける前記参照元とするＢＢＵからホップ数最多の距離にある一つのＢＢＵ、前記参照元とするＢＢＵからホップ数最小の距離にある一つのＢＢＵのそれぞれが参照元とするＢＢＵを介してコアネットワークと通信するように構成されること、を含む。
【００１１】
本発明の実施例はさらに分散型基地局のネットワーキング装置を提供し、該装置において、前記分散型基地局は、リモート無線ユニット（ＲＲＵ）とベースバンド処理ユニット（ＢＢＵ）を含み、前記装置は、追加ユニット、設定ユニット、接続ユニット及び伝送ユニットを含み、
前記追加ユニットは、前記ＲＲＵと前記ＢＢＵにそれぞれ少なくとも一つのイーサネットインタフェースを追加するように構成され、
前記設定ユニットは、前記ＲＲＵと前記ＢＢＵにイーサネットネットワークのインターネットプロトコル（ＩＰ）アドレスを設定するように構成され、
前記接続ユニットは、前記ＲＲＵと前記ＢＢＵがいずれも各自の少なくとも一つのイーサネットインタフェースを介してイーサネットネットワークに接続されるように構成され、
前記伝送ユニットは、前記ＲＲＵと前記ＢＢＵとの間に各自の設定されたＩＰアドレス及び追加されたイーサネットインタフェースに基づいてベースバンド信号を伝送するように構成される。
【００１２】
上記解決手段において、前記装置はさらに、選択ユニット及び通信ユニットを含み、
前記選択ユニットは、一つのＢＢＵを選択しＢＢＵとコアネットワークとの通信の参照元とするように構成され、
前記通信ユニットは、参照元とするＢＢＵを参照として、他のＢＢＵを前記参照元とするＢＢＵを介して前記コアネットワークと通信するように構成される。
【００１３】
上記解決手段において、前記設定ユニットはさらに、
前記ＢＢＵと前記ＲＲＵとの間にメッシュネットワーキングモードでネットワーキングするときに、前記設定ユニットはＲＲＵと前記イーサネットネットワークに接続されたいずれか一つのＢＢＵとの間にベースバンド信号の伝送を行うように構成され、及び／又は、前記設定ユニットはＢＢＵと前記イーサネットネットワークに接続されたいずれか一つのＲＲＵとの間にベースバンド信号の伝送を行うように構成され、
前記ＢＢＵと前記ＲＲＵとの間にポイントツーポイントネットワーキングモードでネットワーキングするときに、前記設定ユニットは選択された一つのＲＲＵと選択された一つのＢＢＵとの間にベースバンド信号の伝送を行うように構成され、
前記ＢＢＵと前記ＲＲＵとの間にスターネットワーキングモードでネットワーキングするときに、前記設定ユニットは選択された一つのＢＢＵと選択された少なくとも二つのＲＲＵとの間にベースバンド信号の伝送を行うように構成され、
前記ＢＢＵと前記ＲＲＵとの間にチェーンネットワーキングモードでネットワーキングするときに、前記設定ユニットは少なくとも二つのＲＲＵと選択された一つのＢＢＵとの間にチェーン直列接続のベースバンド信号の伝送を行うように構成され、
前記ＢＢＵと前記ＲＲＵとの間にリングネットワーキングモードでネットワーキングするときに、前記設定ユニットは少なくとも二つのＲＲＵと選択された一つのＢＢＵとの間にリング直列接続のベースバンド信号の伝送を行うように構成され、かつリング直列接続の少なくとも二つのＲＲＵにおける前記選択された一つのＢＢＵからホップ数最多の距離にある一つのＲＲＵ、前記選択された一つのＢＢＵからホップ数最小の距離にある一つのＢＢＵのそれぞれと前記選択された一つのＢＢＵとの間にベースバンド信号の伝送を行うように構成される。
【００１４】
上記解決手段において、前記設定ユニットはさらに、
前記参照元とするＢＢＵと前記他のＢＢＵとの間にメッシュモードでカスケード接続するときに、前記設定ユニットは参照元とするＢＢＵと前記イーサネットネットワークに接続されたいずれか一つの前記他のＢＢＵとの間にカスケード接続するように構成され、前記通信ユニットは前記いずれか一つの前記他のＢＢＵが前記参照元とするＢＢＵを介して前記コアネットワークと通信するように構成され、
前記参照元とするＢＢＵと前記他のＢＢＵとの間にポイントツーポイントモードでカスケード接続するときに、前記設定ユニットは前記参照元とするＢＢＵと選択された一つの前記他のＢＢＵとの間にカスケード接続するように構成され、前記通信ユニットは前記選択された一つの前記他のＢＢＵが前記参照元とするＢＢＵを介して前記コアネットワークと通信するように構成され、
前記参照元とするＢＢＵと前記他のＢＢＵとの間にスターモードでカスケード接続するときに、前記設定ユニットは前記参照元とするＢＢＵと選択された少なくとも二つの前記他のＢＢＵとの間にクロックカスケード接続するように構成され、前記通信ユニットは前記選択された少なくとも二つの前記他のＢＢＵが前記参照元とするＢＢＵを介して前記コアネットワークと通信するように構成され、
前記参照元とするＢＢＵと前記他のＢＢＵとの間にチェーンモードでカスケード接続するときに、前記設定ユニットは少なくとも二つの前記他のＢＢＵと前記参照元とするＢＢＵとの間にチェーン直列接続のカスケード接続するように構成され、前記通信ユニットは前記少なくとも二つの前記他のＢＢＵが前記参照元とするＢＢＵを介してコアネットワークと通信するように構成され、
前記参照元とするＢＢＵと前記他のＢＢＵとの間にリングモードでカスケード接続するときに、前記設定ユニットは少なくとも二つの前記他のＢＢＵと前記参照元とするＢＢＵとの間にリング直列接続を行うように構成され、前記通信ユニットは前記リング直列接続の少なくとも二つの前記他のＢＢＵにおける前記参照元とするＢＢＵからホップ数最多の距離にある一つのＢＢＵ、前記参照元とするＢＢＵからホップ数最小の距離にある一つのＢＢＵのそれぞれが参照元とするＢＢＵを介してコアネットワークと通信するように構成される。
【００１５】
本発明の実施例はさらにコンピュータ可読記憶媒体を提供し、該コンピュータ可読記憶媒体は、上述した分散型基地局のネットワーキング方法を実行するための一セットの命令を含んでいる。
【００１６】
本発明の実施例によって提供される分散型基地局のネットワーキング方法及び装置は、ＲＲＵとＢＢＵに対しそれぞれ少なくとも一つのイーサネットインタフェースを追加し、かつ前記ＲＲＵと前記ＢＢＵにイーサネットネットワークのインターネットプロトコル（ＩＰ）アドレスを設定し、前記ＲＲＵと前記ＢＢＵとの間に各自の設定されたＩＰアドレス及び追加されたイーサネットインタフェースを介してベースバンド信号を伝送する。本発明の実施例に係る技術的解決手段を用いて、ＢＢＵベースバンドリソースの処理効率を高め、基地局の通常通信不能の確率を低減し、コストなどを低減する。
【図面の簡単な説明】
【００１７】
【図１】図１は本発明の実施例に係る分散型基地局のネットワーキング方法のフローチャートである。
【図２】図２は本発明の実施例に係るＢＢＵとＲＲＵとの間のメッシュネットワーキングモードの概略図である。
【図３】図３は本発明の実施例に係るＢＢＵとＲＲＵとの間のポイントツーポイントネットワーキングモードの概略図である。
【図４】図４は本発明の実施例に係るＢＢＵとＲＲＵとの間のスターネットワーキングモードの概略図である。
【図５】図５は本発明の実施例に係るＢＢＵとＲＲＵとの間のチェーンネットワーキングモードの概略図である。
【図６】図６は本発明の実施例に係るＢＢＵとＲＲＵとの間のリングネットワーキングモードの概略図である。
【図７】図７は本発明の実施例に係るＢＢＵとＲＲＵとの間のメッシュカスケード接続モードの概略図である。
【図８】図８は本発明の実施例に係るマスターＢＢＵとスレーブＢＢＵとの間のポイントツーポイントカスケード接続モードの概略図である。
【図９】図９は本発明の実施例に係るマスターＢＢＵとスレーブＢＢＵとの間のスターカスケード接続モードの概略図である。
【図１０】図１０は本発明の実施例に係るマスターＢＢＵとスレーブＢＢＵとの間のチェーンカスケード接続モードの概略図である。
【図１１】図１１は本発明の実施例に係るマスターＢＢＵとスレーブＢＢＵとの間のリングカスケード接続モードの概略図である。
【図１２】図１２は本発明の実施例に係る分散型基地局のネットワーキング装置の構造概略図である。
【発明を実施するための形態】
【００１８】
ＲＲＵとそれに対応する唯一のＢＢＵとの間は、ＣＰＲＩ光ネットワークリンクにおいて、ＣＰＲＩ光インタフェースを介してベースバンドの伝送を行い、ベースバンドの伝送プロセスにおいて、以下のいくつかの問題が存在する。
【００１９】
１．アップダウンリンクへのベースバンド処理は、現在のＲＲＵに対応するＢＢＵで発生しなければならなく、該ＢＢＵのポイントツーポイント接続のＲＲＵの数が比較的多いときに、該ＢＢＵのベースバンド処理リソース割り当ては制限を受け、ベースバンド信号の処理効率が低いことを引き起こす。
【００２０】
２．アップダウンリンクへのベースバンド処理は、現在のＲＲＵに対応するＢＢＵで発生しなければならなく、かつ現在のＲＲＵは唯一のＢＢＵのみそれに対応し、該ＢＢＵ，或いは該ＢＢＵ上のベースバンド処理ユニットが故障したときに、現在のＲＲＵも通常に動作することができなく、さらに通常の通信に影響を与える。
【００２１】
３．ＲＲＵとそれに対応するＢＢＵとの間は、ＣＰＲＩ光インタフェースを介してベースバンド信号の伝送を行い、使用したＣＰＲＩプロトコルの最高速度は９．８３０４Ｇｂｐｓであり、ＢＢＵとＲＲＵの発展傾向を鑑みて、該速度の向上は急務である。
【００２２】
４．ＲＲＵはそれに対応するＢＢＵのみと物理的直接接続し、該物理的直接接続の関係を確定した後に、変更しにくく、さらにＲＲＵとそれに対応するＢＢＵとの間のネットワークリンクモードの柔軟性が十分でない。
【００２３】
５．ＲＲＵとＢＢＵはポイントツーポイントのみで互いに接続することができ、ＢＢＵとＲＲＵがポイントツーポイントネットワーキング、メッシュネットワーキング、スターネットワーキングを行うときに必要な光ファイバはより長くなり、材料コスト、施工コストおよびメンテナンスコストなどがより高くなる可能性がある。
【００２４】
本発明の実施例において、ＲＲＵとＢＢＵの各自のＣＰＲＩ光インタフェースを保留する基礎上で、それぞれＲＲＵとＢＢＵに対し少なくとも一つのイーサネットインタフェースを追加し、イーサネットインタフェースが追加されたＢＢＵは、イーサネットの媒体アクセス制御（ＭＡＣ：Ｍｅｄｉａ  Ａｃｃｅｓｓ  Ｃｏｎｔｒｏｌ）アドレス及びインターネットプロトコル（ＩＰ：Ｉｎｔｅｒｎｅｔ  Ｐｒｏｔｏｃｏｌ）アドレスを用いてイーサネットインタフェースが追加されたＲＲＵと通信し、イーサネットインタフェースが追加されたスレーブＢＢＵは、イーサネットインタフェースが追加されたマスターＢＢＵを介してコアネットワークと通信する。本発明の実施例の技術的解決手段を用いて、ネットワーキングモードが柔軟かつポイントツーポイントネットワーキング、スターネットワーキング、チェーンネットワーキング、リングネットワーキング、メッシュネットワーキングなどを実現することができ、異なるネットワーキングモードに対して、ＢＢＵとＲＲＵとの間の一対多数という関係を実現することができ、ＢＢＵとＲＲＵとの間の多数対多数という関係を実現することもでき、このように、ＢＢＵベースバンドリソース割り当ての限定性を軽減し、分散型基地局の通常通信不能の確率を低減し、生産とメンテナンスコストなどを低減することができる。
【００２５】
本発明の実施例は分散型基地局のネットワーキング方法を記載し、図１に示されたように、前記方法は以下のステップを含む。
【００２６】
ステップ１１において、ＲＲＵとＢＢＵにそれぞれ少なくとも一つのイーサネットインタフェースを追加する。
前記イーサネットインタフェースはイーサネット光インタフェースに具体化することができる。
【００２７】
ステップ１２において、前記ＲＲＵと前記ＢＢＵにイーサネットネットワークのＩＰアドレスを設定する。
【００２８】
ステップ１３において、前記ＲＲＵと前記ＢＢＵはいずれも各自の少なくとも一つのイーサネットインタフェースを介してイーサネットネットワークに接続される。
【００２９】
ステップ１４において、前記ＢＢＵと前記ＲＲＵとの間に各自の設定されたＩＰアドレス及び追加されたイーサネットインタフェースを介してベースバンド信号を伝送する。
【００３０】
前記方法はさらに、一つのＢＢＵを選択してＢＢＵとコアネットワークとの通信の参照元とし、参照元とするＢＢＵを参照として、他のＢＢＵは前記参照元とするＢＢＵを介して前記コアネットワークと通信する。ここで、前記コアネットワークは、発展型パケットコア（ＥＰＣ：Ｅｖｏｌｖｅｄ  Ｐａｃｋｅｔ  Ｃｏｒｅ）を含む。
【００３１】
前記参照元とするＢＢＵをマスターＢＢＵと呼ばれ、前記他のＢＢＵをスレーブＢＢＵと呼ばれる。即ち前記スレーブＢＢＵは前記マスターＢＢＵを介して前記コアネットワークと通信し、具体的には、前記マスターＢＢＵはＥＰＣネットワークからの信号を受信し、かつ受信した信号を前記スレーブＢＢＵに伝送し、前記マスターＢＢＵはスレーブＢＢＵからの信号を受信し、かつ受信した信号を前記コアネットワークに伝送する。マスターＢＢＵとスレーブＢＢＵとの間の通信の具体的な実現プロセスは従来の技術であり、ここで詳細な説明を省略する。
【００３２】
イーサネットインタフェースが追加されたＢＢＵとイーサネットインタフェースが追加されたＲＲＵとの間のベースバンド信号の伝送プロセスは、下記の技術的解決案で説明する。
【００３３】
本発明の実施例において、イーサネットインタフェースが追加されたＢＢＵとＲＲＵに設定されたＩＰアドレスは、手動設定と自動設定という二種類の方式がある。前記手動設定は基地局の初期設立ときに、ネットワーク技術者による手動でＩＰアドレスを前記基地局のＢＢＵとＲＲＵに入力し、前記自動設定は基地局のバックグラウンド管理システムのアプリケーションソフトウェアによって実現される。
【００３４】
電気電子学会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）で策定されたＩＥＥＥ  ８０２．３プロトコルはイーサネット通信技術に基づくパブリックプロトコルであり、１０Ｍｂｐｓ、１００Ｍｂｐｓ、１Ｇｂｐｓ、１０Ｇｂｐｓ、４０Ｇｂｐｓ、１００Ｇｂｐｓなどのイーサネット速度を支持する。ＩＥＥＥ  ８０２．３において、各イーサネットの端末例えばイーサネットインタフェースが追加されたＢＢＵ、ＲＲＵにそれぞれＭＡＣアドレスとＩＰアドレスが設定され、かつ前記ＭＡＣアドレスとＩＰアドレスを用いて識別しかつ通信する。
【００３５】
図２は本発明の実施例に係るＢＢＵとＲＲＵとの間のメッシュネットワーキングモードの概略図であり、図２に示されたように、ＢＢＵとＲＲＵとの通信インタフェースの拡張によって、ＢＢＵとイーサネットネットワークに接続されたいずれか一つのＲＲＵとの間にベースバンド信号の伝送を行うように構成され、及び／又は、ＲＲＵとイーサネットネットワークに接続されたいずれか一つのＢＢＵとの間にベースバンド信号の伝送を行うように構成され、及び／又は、ＢＢＵとＥＰＣ、或いは他のコアネットワークとの間に通信するように構成され、マスターＢＢＵは指定ＩＰアドレスを有するスレーブＢＢＵと通信することができる。各イーサネットインタフェースが追加されたＢＢＵは、光ファイバ或いはツイストペアケーブルによってＥＰＣネットワークに接続し、或いは光ファイバ或いはツイストペアケーブルによって他のコアネットワークに接続することができ、ＩＰアドレスによってイーサネットインタフェースが追加され、かつイーサネットネットワークに接続された他のＢＢＵとベースバンド信号を伝送することができ、またＩＰアドレスによってイーサネットインタフェースが追加されたいずれか一つのＲＲＵとベースバンド信号を伝送することができる。
【００３６】
図３は本発明の実施例に係るＢＢＵとＲＲＵとの間のポイントツーポイントネットワーキングモードの概略図であり、図３に示されたように、ポイントツーポイントネットワーキングモードにおいて、選択された一つのＲＲＵと選択された一つのＢＢＵとの間にベースバンド信号を伝送するように構成される。
【００３７】
図４は本発明の実施例に係るＢＢＵとＲＲＵとの間のスターネットワーキングモードの概略図であり、図４に示されたように、スターネットワーキングモードにおいて、選択された一つのＢＢＵと選択された少なくとも二つのＲＲＵとの間にベースバンド信号を伝送するように構成される。つまり、各イーサネットインタフェースが追加されたＢＢＵは、ＩＰアドレスによって少なくとも二つのイーサネットインタフェースが追加されたＲＲＵと相互接続を実現し、かつベースバンド信号を伝送することができる。
【００３８】
図５は本発明の実施例に係るＢＢＵとＲＲＵとの間のチェーンネットワーキングモードの概略図であり、図５に示されたように、チェーンネットワーキングモードにおいて、少なくとも二つのＲＲＵと選択された一つのＢＢＵとの間にチェーン直列接続のベースバンド信号の伝送を行うように構成され、ＲＲＵ１〜ＲＲＵ４はチェーン直列接続であり、ベースバンド信号はＲＲＵ１〜ＲＲＵ４のチェーン伝送を経て、最後にＲＲＵ１で前記選択されたＢＢＵに伝送される。
【００３９】
図６は本発明の実施例に係るＢＢＵとＲＲＵとの間のリングネットワーキングモードの概略図であり、図６に示されたように、リングネットワーキングモードにおいて、少なくとも二つのＲＲＵと選択された一つのＢＢＵとの間にリング直列接続のベースバンド信号の伝送を行うように構成され、かつリング直列接続の少なくとも二つのＲＲＵにおける前記選択された一つのＢＢＵからホップ数最多の距離にある一つのＲＲＵ、前記選択された一つのＢＢＵからホップ数最小の距離にある一つのＲＲＵのそれぞれと前記選択された一つのＢＢＵとの間にベースバンド信号の伝送を行うように構成される。ＲＲＵ１〜ＲＲＵ４はリング直列接続であり、ＲＲＵ４は選択されたＢＢＵからホップ数最多の距離にある一つのＲＲＵであり、ＲＲＵ１は選択されたＢＢＵからホップ数最小の距離にある一つのＲＲＵであり、ＲＲＵ１、ＲＲＵ４はそれぞれ選択されたＢＢＵとの間にベースバンド信号の伝送を行うことができ、同時に、ＲＲＵ２、ＲＲＵ３はいずれもＲＲＵ１によって選択されたＢＢＵとの間にベースバンド信号の伝送を行うことができ、ＲＲＵ２、ＲＲＵ３はいずれもＲＲＵ４を介して選択されたＢＢＵとの間にベースバンド信号の伝送を行うこともできる。チェーンネットワーキングモードに比べて、リングネットワーキングモードの優位性は、あるノード例えばＲＲＵ２がＲＲＵ１を経て選択されたＢＢＵに至るまでの伝送リンクが切断し或いは故障したときに、ＲＲＵ２は、ＲＲＵ３、ＲＲＵ４によって選択されたＢＢＵとの間にベースバンド信号の伝送を行い、ベースバンド伝送リンクの有効性を確保する。
【００４０】
上記図２〜図６の異なるネットワーキングモードの説明において、ＲＲＵとＢＢＵとの間の構成関係は基地局の管理バックグラウンドによって実現される。現在は図２のメッシュネットワーキングを例として、イーサネットインタフェースが追加されたＢＢＵとイーサネットインタフェースが追加されたＲＲＵとの間のベースバンド信号の伝送プロセスについてさらに説明する。他のネットワーキングモードでのベースバンド信号の伝送プロセスは以下のプロセスと同様である。
【００４１】
図２に示されたようなメッシュネットワーキングモードにおいて、基地局１のＩＰアドレスがＢであるＢＢＵ１は基地局２のＩＰアドレスがＡであるＲＲＵ１と相互接続する。
【００４２】
具体的には、ダウンリンクにおいて、基地局１のＢＢＵ１はＩＥＥＥ  ８０２．３プロトコルに基づいて、ＥＰＣネットワーク或いは他のコアネットワークからの信号に対しベースバンド処理を行い、かつイーサネットインタフェースを介して処理後のベースバンド信号をＩＰアドレスがＡであるＲＲＵ１に伝送し、前記ＲＲＵ１は自身のイーサネットインタフェースを介して前記ベースバンド信号を受信し、かつ受信した前記ベースバンド信号に対し整形フィルタリング、ピーククリッピングデジタルプリディストーションなどの一連の処理を行った後に中間周波数に変換し、続いて中間周波数から無線周波数に変換し、かつパワー増幅後の無線周波数信号をアンテナに伝送する。
【００４３】
アップリンクにおいて、基地局１のＲＲＵ１は端末からの信号を受信し、周波数選択増幅などの処理を行った後に中間周波数に変換し、続いて中間周波数からベースバンドに変換し、かつ前記イーサネットインタフェースを介して、ベースバンド信号をＩＰアドレスがＢであるＢＢＵ１に伝送し、前記ＢＢＵ１は自身のイーサネットインタフェースを介してベースバンド信号を受信し、かつＩＥＥＥ  ８０２．３プロトコルに基づいて受信したベースバンド信号に対しさらにベースバンド処理を行った後に、ＥＰＣネットワークに伝送し、或いはコアネットワークに伝送する。
【００４４】
そのほか、本発明の実施例において、現在のＲＲＵとそれに対応するＢＢＵを光ファイバで直接接続することができる。直接接続ときのネットワーキングモードはまた、メッシュネットワーキング、ポイントツーポイントネットワーキング、スターネットワーキング、チェーンネットワーキング、リングネットワーキングなどのモードを含む。
【００４５】
本発明の実施例において、マスターＢＢＵとスレーブＢＢＵとの間は、カスケード接続することができ、前記カスケード接続モードは、メッシュカスケード接続、ポイントツーポイントカスケード接続、スターカスケード接続、チェーンカスケード接続、リングカスケード接続などのモードを含む。
【００４６】
図７は本発明の実施例に係るマスターＢＢＵとスレーブＲＲＵとの間のメッシュカスケード接続モードの概略図であり、前記マスターＢＢＵとＩＰアドレスによってイーサネットネットワークに接続されたいずれか一つのスレーブＢＢＵとの間にカスケード接続することができるように構成され、前記いずれか一つのスレーブＢＢＵは前記マスターＢＢＵを介してＥＰＣネットワークと通信する。
【００４７】
図８は本発明の実施例に係るマスターＢＢＵとスレーブＢＢＵとの間のポイントツーポイントカスケード接続モードの概略図であり、前記マスターＢＢＵと選択された一つのスレーブＢＢＵとの間にカスケード接続するように構成され、前記選択された一つのスレーブＢＢＵは前記マスターＢＢＵを介してＥＰＣネットワークと通信する。
【００４８】
図９は本発明の実施例に係るマスターＢＢＵとスレーブＢＢＵとの間のスターカスケード接続モードの概略図であり、マスターＢＢＵと選択された少なくとも二つのスレーブＢＢＵとの間にカスケード接続するように構成され、前記選択された少なくとも二つのスレーブＢＢＵは前記マスターＢＢＵを介して前記コアネットワークと通信する。
【００４９】
図１０は本発明の実施例に係るマスターＢＢＵとスレーブＢＢＵとの間のチェーンカスケード接続モードの概略図であり、少なくとも前記二つのスレーブＢＢＵと前記参照元とするマスターＢＢＵとの間にチェーン直列接続のカスケード接続するように構成され、マスターＢＢＵ、スレーブＢＢＵ１〜スレーブＢＢＵ４はチェーン直列接続であり、各ＢＢＵベースバンド信号はチェーン伝送を経て、最後に前記参照元とするマスターＢＢＵを介してコアネットワークＥＰＣに伝送する。
【００５０】
図１１は本発明の実施例に係るマスターＢＢＵとスレーブＢＢＵとの間のリングカスケード接続モードの概略図であり、少なくとも二つの前記他のＢＢＵと前記参照元とするＢＢＵとの間にリング直列接続を行うように構成され、かつリング直列接続の少なくとも二つのスレーブＢＢＵにおけるマスターＢＢＵからホップ数最多の距離にある一つのＲＲＵ、マスターＢＢＵからホップ数最小の距離にある一つのスレーブＢＢＵのそれぞれがマスターＢＢＵを介してコアネットワークと通信するように構成される。スレーブＢＢＵ１〜スレーブＢＢＵ４はリング直列接続のスレーブＢＢＵであり、スレーブＢＢＵ４はマスターＢＢＵからホップ数最多の距離にある一つのスレーブＲＲＵであり、スレーブＢＢＵ１はマスターＢＢＵからホップ数最小の距離にある一つのスレーブＲＲＵであり、スレーブＢＢＵ２、スレーブＢＢＵ３はスレーブＢＢＵ４、スレーブＢＢＵ１を経てまたマスターＢＢＵに至り、コアネットワークとの通信を実現する。
【００５１】
上記分散型基地局のネットワーキング方法に基づいて、本発明の実施例はさらに分散型基地局のネットワーキング装置を記載し、分散型基地局はＲＲＵとＢＢＵを含み、図１２に示されたように、前記装置は、追加ユニット２１、接続ユニット２２、設定ユニット２３、伝送ユニット２４、通信ユニット２５及び選択ユニット２６を含む。
【００５２】
前記追加ユニット２１は、前記ＲＲＵと前記ＢＢＵにそれぞれ少なくとも一つのイーサネットインタフェースを追加するように構成され、前記イーサネットインタフェースはイーサネット光インタフェースに具体化することができる。
【００５３】
前記設定ユニット２２は、前記ＲＲＵと前記ＢＢＵにイーサネットネットワークのインターネットプロトコル（ＩＰ）アドレスを設定するように構成される。
【００５４】
前記接続ユニット２３は、前記ＲＲＵと前記ＢＢＵがいずれも各自の少なくとも一つのイーサネットインタフェースを介してイーサネットネットワークに接続されるように構成される。
【００５５】
前記伝送ユニット２４は、前記ＲＲＵと前記ＢＢＵとの間に各自の設定されたＩＰアドレス及び追加されたイーサネットインタフェースに基づいてベースバンド信号を伝送するように構成される。
【００５６】
前記選択ユニット２６は、一つのＢＢＵを選択しＢＢＵ間のコアネットワークとの通信の参照元とするように構成される。
【００５７】
前記通信ユニット２５は、参照元とするＢＢＵを参照として、他のＢＢＵを前記参照元とするＢＢＵを介して前記コアネットワークと通信するように構成される。
【００５８】
ここで、参照元とするＢＢＵをマスターＢＢＵと呼ばれ、前記他のＢＢＵをスレーブＢＢＵと呼ばれる。
【００５９】
ここで、基地局バックグラウンドシステムによって前記設定ユニット２３に対しソフトウェア制御によってＢＢＵ及びＲＲＵのＩＰアドレスの設定を完成することができ、また手動でＩＰアドレスを入力しＢＢＵ及びＲＲＵへのＩＰアドレスの設定を実現することができる。
【００６０】
実際的応用において、前記追加ユニット２１、接続ユニット２２、設定ユニット２３、伝送ユニット２４、通信ユニット２５、選択ユニット２６はいずれも中央処理装置（ＣＰＵ：Ｃｅｎｔｒａｌ  Ｐｒｏｃｅｓｓｉｎｇ  Ｕｎｉｔ）、或いはデジタル信号処理（ＤＳＰ：Ｄｉｇｉｔａｌ  Ｓｉｇｎａｌ  Ｐｒｏｃｅｓｓｉｎｇ）、或いはフィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）によって実現することができ、前記ＣＰＵ、ＤＳＰ及びＦＰＧＡはいずれも分散型基地局に内蔵される。
【００６１】
本発明の実施例が提供するＢＢＵとＲＲＵのネットワーキングモードは図２〜図６に示されたように、メッシュネットワーキング、ポイントツーポイントネットワーキング、スターネットワーキング、チェーンネットワーキング、リングネットワーキングなどのモードを含む。
【００６２】
具体的には、前記ＢＢＵと前記ＲＲＵとの間にメッシュネットワーキングモードでネットワーキングするときに、前記設定ユニット２３はＲＲＵと前記イーサネットネットワークに接続されたいずれか一つののＢＢＵとの間にベースバンド信号の伝送を行うように構成され、及び／又は、前記設定ユニット２３は、ＢＢＵと前記イーサネットネットワークに接続されたいずれか一つのＲＲＵとの間にベースバンド信号の伝送を行うように構成され、ＢＢＵがＥＰＣネットワーク、或いは他のネットワークのコアネットワークと通信するように構成され、
前記ＢＢＵと前記ＲＲＵとの間にポイントツーポイントネットワーキングモードでネットワーキングするときに、前記設定ユニット２３は、選択された一つのＲＲＵと選択された一つのＢＢＵとの間にベースバンド信号の伝送を行うように構成され、
前記ＢＢＵと前記ＲＲＵとの間にスターネットワーキングモードでネットワーキングするときに、前記設定ユニット２３は、選択された一つのＢＢＵと選択された少なくとも二つのＲＲＵとの間にベースバンド信号の伝送を行うように構成され、
前記ＢＢＵと前記ＲＲＵとの間にチェーンネットワーキングモードでネットワーキングするときに、前記設定ユニット２３は、少なくとも二つのＲＲＵと選択された一つのＢＢＵとの間にチェーン直列接続のベースバンド信号の伝送を行うように構成され、
前記ＢＢＵと前記ＲＲＵとの間にリングネットワーキングモードでネットワーキングするときに、前記設定ユニット２３は、少なくとも二つのＲＲＵと選択された一つのＢＢＵとの間にリング直列接続のベースバンド信号の伝送を行うように構成され、かつリング直列接続の少なくとも二つのＲＲＵにおける前記選択された一つのＢＢＵからホップ数最多の距離にある一つのＲＲＵ、前記選択された一つのＢＢＵからホップ数最小の距離にある一つのＲＲＵのそれぞれと前記選択された一つのＢＢＵとの間にベースバンド信号の伝送を行うように構成される。
【００６３】
同時に、本発明の実施例が提供するマスターＢＢＵとスレーブＢＢＵとの間のカスケード接続モードは、図７〜図１１に示されたように、メッシュカスケード接続、ポイントツーポイントカスケード接続、スターカスケード接続、チェーンカスケード接続、リングカスケード接続などのモードを含む。
【００６４】
前記マスターＢＢＵとスレーブＢＢＵとの間にメッシュモードでカスケード接続するときに、前記設定ユニット２３は、マスターＢＢＵと前記イーサネットネットワークに接続されたいずれか一つのスレーブＢＢＵとの間にカスケード接続するように構成され、前記通信ユニット２５は、前記選択されたいずれか一つのマスターＢＢＵが前記マスターＢＢＵを介してＥＰＣネットワークと通信するようにし、
前記マスターＢＢＵとスレーブＢＢＵとの間にポイントツーポイントモードでカスケード接続するときに、前記設定ユニット２３は、マスターＢＢＵと選択された一つのスレーブＢＢＵとの間にカスケード接続するように構成され、前記通信ユニット２５は、前記選択された一つのスレーブＢＢＵが前記マスターＢＢＵを介してＥＰＣネットワークと通信するようにし、
前記マスターＢＢＵとスレーブＢＢＵとの間にスターモードでカスケード接続するときに、前記設定ユニット２３は、前記マスターＢＢＵと選択された少なくとも二つのスレーブＢＢＵとの間にカスケード接続するように構成され、前記通信ユニット２５は、前記選択された少なくとも二つのスレーブＢＢＵは前記スレーブＢＢＵを介してＥＰＣネットワークと通信するようにし、
前記マスターＢＢＵとスレーブＢＢＵとの間にチェーンモードでカスケード接続するときに、前記設定ユニット２３は、少なくとも二つのスレーブＢＢＵと前記マスターＢＢＵとの間にチェーン直列接続のカスケード接続するように構成され、前記通信ユニット２５は、前記少なくとも二つのスレーブＢＢＵが前記マスターＢＢＵを介してＥＰＣネットワークと通信するようにし、
前記マスターＢＢＵとスレーブＢＢＵとの間にリングモードでカスケード接続するときに、前記設定ユニット２３は、少なくとも二つのスレーブＢＢＵと前記マスターＢＢＵとの間にリング直列接続を行うように構成され、かつ前記通信ユニットは前記リング直列接続の少なくとも二つのスレーブＢＢＵにおける前記マスターＢＢＵからホップ数最多の距離にある一つのスレーブＢＢＵ、前記マスターＢＢＵからホップ数最小の距離にある一つのスレーブＢＢＵのそれぞれが前記マスターＢＢＵを介してＥＰＣネットワークと通信するようにする。
【００６５】
本発明の実施例の装置において、ＢＢＵとＲＲＵとの間のベースバンドの伝送プロセス、マスターＢＢＵとスレーブＢＢＵとの間のベースバンドの伝送プロセスは前記方法における説明を参照し、ここで詳細な説明を省略する。
【００６６】
本発明の実施例はさらにコンピュータ可読記憶媒体を提供し、該コンピュータ可読記憶媒体は一セットの命令を含み、前記命令は、上記分散型基地局のネットワーキング方法を実行するために用いられる。
【００６７】
上述したように、本発明の実施例によって提供される分散型基地局のネットワーキング方法、装置、およびコンピュータ可読記憶媒体は、リモート無線ユニット（ＲＲＵ）とベースバンド処理ユニット（ＢＢＵ）に対しそれぞれ少なくとも一つのイーサネットインタフェースを追加し、かつ前記ＲＲＵと前記ＢＢＵにイーサネットネットワークのインターネットプロトコル（ＩＰ）アドレスを設定し、前記ＲＲＵと前記ＢＢＵはいずれも各自の少なくとも一つのイーサネットインタフェースを介してイーサネットネットワークに接続され、前記ＢＢＵと前記ＲＲＵとの間に各自の設定されたＩＰアドレス及び追加されたイーサネットインタフェースに基づいてベースバンド信号を伝送し、前記スレーブＢＢＵは前記マスターＢＢＵを介してコアネットワークＥＰＣと通信する。
【００６８】
本発明の実施例に係る技術的解決手段を用いて、以下の五つの有益な効果を達成することができる。
【００６９】
第一．異なるネットワーキングモードにおいて、ＢＢＵとＲＲＵとの間は１対多数という対応関係であることができ、また多数対多数という関係であることもでき、このように、従来技術におけるアップダウンリンクへのベースバンド処理は現在のＲＲＵに対応する唯一のＢＢＵで発生しなければならないことに比べて、ＲＲＵが相互接続した現在のＢＢＵのベースバンドリソースが不足であるときに、該ＲＲＵは他のＢＢＵと相互接続することができ、他のＢＢＵが該ＲＲＵの信号をベースバンド処理させ、そのほか、ＲＲＵは同時に複数のＢＢＵとメッシュ相互接続を行い、ＲＲＵのアップダウンリンクデータは同時に複数のＢＢＵで処理し、こうしてみれば、本発明の実施例に係る技術的解決手段を用いて、ＢＢＵのベースバンドの処理効率を高めることができる。
【００７０】
第二．現在のＲＲＵは複数のＢＢＵと互いに接続することができ、このように、現在のＢＢＵ、或いは現在のＢＢＵにおけるベースバンド処理ユニットが故障したときに、現在のＲＲＵは他のＢＢＵに接続することを介して通常の通信を完成することができ、さらに通常通信不能の確率を低減する。
【００７１】
第三．ＩＥＥＥ  ８０２．３イーサネットプロトコルは１０Ｍｂｐｓ〜１００Ｇｂｐｓの速度を支持し、速度が大きく、ほぼＣＰＲＩプロトコルの最大速度（９．８３０４Ｇｂｐｓ）の１０倍以上である。
【００７２】
第四．本発明の実施例に係る技術的解決手段はＣＰＲＩ光ネットワークリンクのＲＲＵとＢＢＵとの直接接続方式を支持する以外に、さらにＲＲＵとＢＢＵとの間のイーサネットネットワークにおける相互接続も支持し、ＲＲＵとＢＢＵとの物理的接続が確定された場合に、いずれもポイントツーポイントネットワーキング、スターネットワーキング、メッシュネットワーキング、チェーンネットワーキング、リングネットワーキングなどのモードを設定することができ、さらに異なるネットワーキングモードとの間の切替を行うこともでき、ＲＲＵとＢＢＵとの間のネットワーキングモードの柔軟性を向上させる。
【００７３】
第五．本発明の実施例に係るＢＢＵとＲＲＵはＩＥＥＥ  ８０２．３イーサネットプロトコルによって相互接続し、このように、従来のＲＲＵがＢＢＵのケーブルに架設しなければならないことに比べて、ＢＢＵとＲＲＵは自身からイーサネットネットワークまでのケーブルのみを架設し、ネットワーキングするときに必要なコストなどを節約する。
【００７４】
本分野の当業者は、本発明の実施例が方法、システム、或いはコンピュータプログラム製品として提供されることができると理解すべきである。したがって、本発明は、ハードウェア実施例、ソフトウェア実施例、或いはソフトウェアとハードウェア方面を組み合わせた形態を使用することができる。しかも、本発明は、一つ或いは複数のコンピュータ使用可能なプログラムコードが含まれたコンピュータ使用可能記憶媒体（磁気ディスク記憶装置と光学記憶装置などを含むが、これに限定されない）で実行されるコンピュータプログラム製品の形態を使用することができる。
【００７５】
本発明は、本発明の実施例に基づく方法、装置（システム）、コンピュータプログラム製品のフローチャート図及び／又はブロック図を参照して記載されることである。コンピュータプログラム命令でフローチャート図及び／又はブロック図における各フローチャート及び／又はブロック、及びフローチャート図及び／又はブロック図におけるフローチャート及び／又はブロックとの組み合わせを実現することができると理解すべきである。これらのコンピュータプログラム命令を汎用コンピュータ、専門コンピュータ、組込みプロセッサ或いは他のプログラマブルデータ処理装置に提供して一つのマシンを生成し、コンピュータ或いは他のプログラマブルデータ処理装置のプロセッサによって命令を実行し、フローチャート図における一つのフローチャート或いは複数のフローチャート及び／又はブロック図における一つのブロック或いは複数のブロックに指定された機能を実現するための装置を生成する。
【００７６】
これらのコンピュータプログラム命令はまたコンピュータ或いは他のプログラマブルデータ処理装置を特定方式で動作することをガイドすることができる可読記憶装置に記憶することができ、該コンピュータ可読記憶装置に記憶された命令が命令装置を含む製品を生成させ、該命令装置はフローチャート図における一つのフローチャート或いは複数のフローチャート及び／又はブロック図における一つのブロック或いは複数のブロックにおける指定された機能を実現する。
【００７７】
これらのコンピュータプログラム命令はまたコンピュータ或いは他のプログラマブルデータ処理装置にインストールすることができ、コンピュータ或いは他のプログラマブル装置で一連の操作ステップを実行しコンピュータ実現の処理を生成し、それによりコンピュータ或いは他のプログラマブル装置で実行された命令はフローチャート図における一つのフローチャート或いは複数のフローチャート及び／又はブロック図における一つのブロック或いは複数のブロックにおける指定された機能を実現するためのステップを提供する。
【００７８】
以上は、本発明の最適的な実施例に過ぎなく、本発明の保護範囲を限定することに用いられるものではない。本発明の原理に基づいて改修されたことは、本発明の保護範囲内に含まれることを理解すべきである。
【図１】
2016535957.tif 000003
【図２】
2016535957.tif 000004
【図３】
2016535957.tif 000005
【図４】
2016535957.tif 000006
【図５】
2016535957.tif 000007
【図６】
2016535957.tif 000008
【図７】
2016535957.tif 000009
【図８】
2016535957.tif 000010
【図９】
2016535957.tif 000011
【図１０】
2016535957.tif 000012
【図１１】
2016535957.tif 000013
【図１２】
2016535957.tif 000014
【国際調査報告】
2016535957.tif 000015
2016535957.tif 000016
2016535957.tif 000017
2016535957.tif 000018